(57)【要約】【課題】  駆動機の駆動軸状部の形状に拘わらず、園芸用器具の被駆動部と、駆動機の駆動軸状部とを互いに確実に連結することができるようにすること。【解決手段】  駆動機１３の駆動軸状部１５と連結されて回転される継手部２９を備え、この継手部２９の回転が第１傘歯車１６を介して刈払刃１８に伝達されて、この刈払刃１８が回転する刈払機１２に適用された園芸用器具の継手構造１１において、継手部２９は、駆動軸状部１５を着脱自在に把持する把持部３０と、連結軸３１が連結される連結部３２とを有し、連結軸３１は、第１傘歯車１６に形成された連結孔３３に挿入されて、継手部２９の回転を第１傘歯車１６に伝達するように形成されている。【選択図】      図１
2011045266.tif 000002
【特許請求の範囲】
【請求項１】
駆動機の駆動軸状部と連結されて回転される継手部を備え、この継手部の回転が被駆動部を介して作動部に伝達されて、この作動部が作動する園芸用器具の継手構造において、
前記継手部は、前記駆動軸状部を着脱自在に把持する把持部と、連結軸が連結される連結部とを有し、
前記連結軸は、前記被駆動部に形成された連結孔に挿入されて、前記継手部の回転を前記被駆動部に伝達するように形成されていることを特徴とする園芸用器具の継手構造。
【請求項２】
前記把持部が前記駆動軸状部を把持する位置は、前記駆動軸状部の軸方向に対して所定の許容範囲内で調整可能であり、又は、
前記連結部が前記連結軸と連結する位置は、前記連結軸の軸方向に対して所定の許容範囲内で調整可能であって、
前記連結軸は、前記連結孔に対して軸方向に移動自在に挿入されていることを特徴とする請求項１記載の園芸用器具の継手構造。
【請求項３】
前記被駆動部が歯車であり、
前記把持部は、略半円柱形状の継手本体部と、略半円柱形状の第１半割部との間に前記駆動軸状部を挟み込んで把持するものであって、
前記連結部は、前記継手本体部と、略半円柱形状の第２半割部との間に前記連結軸を挟み込んで把持するものであり、更に、
前記連結軸は、トルクを前記被駆動部に伝達することができる断面形状に形成されていることを特徴とする請求項１又は２記載の園芸用器具の継手構造。
【請求項４】
前記駆動機は、前記駆動軸状部が内側に配置されているハンドルシャフトを備え、
前記園芸用機器には、前記ハンドルシャフトの先端部が装着されて固定される受口部を備えることを特徴とする請求項１乃至３のいずれかに記載の園芸用器具の継手構造。
【請求項５】
前記園芸用機器は、前記作動部が刈払刃である刈払機、バリカン式の刈込み機、送風機、吸引機、チェーンソー、又は耕耘機であることを特徴とする請求項１乃至４のいずれかに記載の園芸用器具の継手構造。
【請求項６】
請求項１乃至４のいずれかに記載の園芸用器具の継手構造を備える刈払機としての園芸用器具であって、
前記駆動機に固定して取り付けられる本体ケースと、
この本体ケースの内側に回動自在に設けられた回転軸と、
この回転軸に取り付けられる前記作動部としての刈払刃と、
前記回転軸の内孔に挿通され前記本体ケースに固定して設けられている取付部材と、
この取付部材に固定して設けられていると共に、前記刈払刃の下面側に配置されている下側カバーとを備えることを特徴とする刈払機としての園芸用器具。
【請求項７】
前記取付部材の基端部が前記本体ケースの内面に固定ボルトで固定して取り付けられ、この取付部材の基端部の外周面と、前記本体ケースの内周面との間に、前記取付部材が前記固定ボルトを緩める方向に回転することを係止する回り止め部材を設けたことを特徴とする請求項６記載の刈払機としての園芸用器具。
【請求項８】
前記回り止め部材には、前記取付部材の基端部の外面と当接して、前記取付部材が前記固定ボルトを緩める方向に回転することを係止する係止用内縁部が形成されていると共に、前記本体ケースの内面と当接して当該回り止め部材が前記固定ボルトを緩める方向に回転することを係止する係止用外縁部が形成されていることを特徴とする請求項７記載の刈払機としての園芸用器具。
【請求項９】
請求項１乃至４のいずれかに記載の園芸用器具の継手構造を備える刈払機としての園芸用器具であって、
前記駆動機に固定して取り付けられる本体ケースと、
前記本体ケースに回動自在に設けられている前記作動部としての刈払刃と、
前記刈払刃の下面側に回動しないように配置され、前記本体ケース又は前記駆動機に固定して設けられている下側カバーとを備え、
前記下側カバーは、その外周縁部が前記刈払刃の外周縁部よりも半径方向の外側に突出し、当該下側カバーの外周縁部に複数の凹部が設けられ、
前記各凹部は、前記刈払刃に設けられている複数の各切刃がその内側に配置される深さに形成されていると共に、前記複数の凹部の全てが、前記刈払刃の揺動刈取り操作の方向に切り欠かれていることを特徴とする刈払機としての園芸用器具。
【請求項１０】
請求項１乃至４のいずれかに記載の園芸用器具の継手構造を備える刈払機としての園芸用器具であって、
前記駆動機に固定して取り付けられる本体ケースと、
前記本体ケースに回動自在に設けられている前記作動部としての刈払刃と、
前記刈払刃の下面側に配置され、前記本体ケース又は前記駆動機に設けられている下側カバーとを備え、
前記下側カバーの上面と、前記刈払刃の下面との間の隙間を塞ぐことができる形状であり、前記刈払刃の回転の中心から所定の間隔を隔てて前記回転の中心を包囲する環状の刈草巻付き防止部を前記下側カバー又は前記刈払刃に設けたことを特徴とする刈払機としての園芸用器具。
【発明の詳細な説明】
【技術分野】
【０００１】
本発明は、例えば刈払機、バリカン式の刈込み機、送風機、吸引機、チェーンソー、又は耕耘機を含む種々の園芸用器具に適用することによって、この適用された園芸用器具を、任意の駆動機に適切に取り付けることができるようにする園芸用器具の継手構造及びそれを備える園芸用器具に関する。
【背景技術】
【０００２】
従来の刈払装置の一例として、図１０に示すものがある（例えば、特許文献１参照。）。この刈払装置１は、駆動機２と刈払機３（園芸用器具）とを備えている。駆動機２は、エンジン等の回転駆動部（図示せず）と、この回転駆動部によって回転駆動される駆動軸４と、この駆動軸４が内側に配置されているハンドルシャフト５を備えている。
【０００３】
刈払機３は、図１０に示すように、本体ケース６を備え、この本体ケース６には、受口部６ａが設けられ、この受口部６ａ内には、回動自在に第１傘歯車７が設けられている。そして、この第１傘歯車７と噛合う第２傘歯車８が本体ケース６内に配置され、この第２傘歯車８は、回転軸９に設けられ、この回転軸９は、回動自在に本体ケース６内に設けられている。そして、この回転軸９の下端部には、刈払刃１０が取り付けられている。
【０００４】
また、図１０に示すように、駆動機２のハンドルシャフト５の先端部が、刈払機３の本体ケース６の受口部６ａ内に装着されて固定されている。更に、駆動機２の駆動軸４の先端部は、刈払機３の第１傘歯車７に形成されている連結孔７ａに挿入され、この第１傘歯車７にトルクを伝達できるように連結している。このようにして、刈払機３が駆動機２に取り付けられて、刈払装置１として使用できる状態となっている。
【０００５】
この図１０に示す駆動機２の駆動軸４が回転すると、その回転が第１傘歯車７、第２傘歯車８、及び回転軸９を介して刈払刃１０に伝達されて、刈払刃１０を回転させることができる。これによって、草刈作業を行うことができる。
【０００６】
ところで、図１０に示す刈払装置１の所有者が、例えば新たにバリカン式の刈込み機（園芸用機器）を購入して、この刈込み機を自己が所有している駆動機２に取り付けて使用することが行なわれている。この場合、使用者は、第１に、自己が所有する駆動機２のハンドルシャフト５の先端部が、新たに購入しようとする刈込み機（園芸用機器）の受口部６ａ内に装着して固定することができる寸法及び形状であることを確認する必要がある。第２に、駆動機２の駆動軸４の先端部を、刈込み機の第１傘歯車７（被駆動部）に形成されている連結孔７ａに挿入することができる寸法及び断面形状であることを確認する必要がある。第３に、駆動機２のハンドルシャフト５の先端部を、刈込み機の受口部６ａ内に装着して固定した状態で、駆動軸４の先端部が第１傘歯車７の連結孔７ａに必要な深さ（寸法）だけ挿入することができ、しかも、この駆動軸４が屈曲していないことを確認する必要がある。
【先行技術文献】
【特許文献】
【０００７】
【特許文献１】実開平７−１７０１９号公報
【発明の概要】
【発明が解決しようとする課題】
【０００８】
しかし、使用者が上記第１〜第３の確認事項の全てを確認することは困難で手間の掛かることである。
【０００９】
そこで、駆動機２、及び刈込み機や刈払機３等の園芸用器具の各メーカは、それぞれを組み合わせて使用することができる機種及びその型式を説明書に記載するようにして、使用者の便宜を図っている。しかし、駆動機２及び園芸用器具を組み合わせて使用できないものも存在し、このように組み合わせて使用できない駆動機２及び園芸用器具の数を減らすことが望まれている。
【００１０】
この課題を解決するために、各メーカは、例えば組み合わせて使用できない駆動機２の駆動軸４と、園芸用器具の第２の傘歯車（被駆動部）とを連結することができる接続アダプタを多数用意すればよいと考えることができるが、このような接続アダプタをそれぞれの組合せごとに用意することは、費用が嵩むという問題があるし、使用者は、取り外されている接続アダプタを紛失することもある。
【００１１】
ただし、上記第１の確認事項は、駆動機２のハンドルシャフト５の先端部を、刈込み機（園芸用器具）の受口部６ａに装着して固定できるかどうかの確認であり、比較的簡単に確認できるので、本発明は、第１の確認事項を除く、第２及び第３の確認事項を確認しなくて済むようにすることを課題としている。
【００１２】
本発明は、上記のような課題を解決するためになされたものであり、駆動機の駆動軸状部の形状に拘わらず、園芸用器具の被駆動部と、駆動機の駆動軸状部とを互いに確実に連結することができるようにすること、及び駆動機の駆動軸状部を屈曲させることなく、しかも適切な長さを確保して、駆動機の駆動軸状部と、園芸用器具の被駆動部とを互いに連結することができる園芸用器具の継手構造及びそれを備える園芸用器具を提供することを目的としている。
【課題を解決するための手段】
【００１３】
第１の発明に係る園芸用器具の継手構造は、駆動機の駆動軸状部と連結されて回転される継手部を備え、この継手部の回転が被駆動部を介して作動部に伝達されて、この作動部が作動する園芸用器具の継手構造において、前記継手部は、前記駆動軸状部を着脱自在に把持する把持部と、連結軸が連結される連結部とを有し、前記連結軸は、前記被駆動部に形成された連結孔に挿入されて、前記継手部の回転を前記被駆動部に伝達するように形成されていることを特徴とするものである。
【００１４】
第１の発明の園芸用器具の継手構造によると、多数の園芸用器具のうちの例えば刈払機に本発明を適用すると、当該刈払機を、複数の型式のうちのいずれの型式の駆動機にも取り付けて使用できるようにすることができる。この園芸用器具を駆動機に取り付けるときは、園芸用器具に設けられている継手部を、駆動機の駆動軸状部に連結する。これによって、駆動軸状部の回転を、園芸用器具の継手部、連結軸、被駆動部を介して作動部に伝達することができ、このようにして、作動部である例えば刈払刃を回転させることができる。そして、継手部の把持部は、駆動軸状部を着脱自在に把持して継手部と駆動軸状部とを互いに連結する構成であるので、駆動軸状部が例えばスプライン軸であったり、断面形状が多角形であったとしても、駆動軸状部の断面形状に拘わらず、継手部と駆動軸状部とを互いに確実に連結することができる。また、連結軸は、被駆動部に形成された連結孔に挿入されて被駆動部と連結しているので、継手部に取り付けられている連結軸を、連結孔から簡単に抜き取って、継手部と駆動軸状部とを互いに簡単に連結することができる。
【００１５】
第２の発明に係る園芸用器具の継手構造は、第１の発明において、前記把持部が前記駆動軸状部を把持する位置は、前記駆動軸状部の軸方向に対して所定の許容範囲内で調整可能であり、又は、前記連結部が前記連結軸と連結する位置は、前記連結軸の軸方向に対して所定の許容範囲内で調整可能であって、前記連結軸は、前記連結孔に対して軸方向に移動自在に挿入されていることを特徴とするものである。
【００１６】
第２の発明の園芸用器具の継手構造によると、園芸用器具の継手部を駆動機の駆動軸状部に連結するときに、駆動軸状部の継手部側に突出する長さが適切な寸法よりも長い場合や短い場合において、把持部が駆動軸状部を把持する位置、又は連結部が連結軸と連結する位置を所定の許容範囲内で調整して、継手部を駆動軸状部に連結することができる。これによって、園芸用器具の継手部の把持部は、駆動機の駆動軸状部を、屈曲させることなく、しかも把持するための適切な長さを確保して被駆動部に連結することができる。
【００１７】
第３の発明に係る園芸用器具の継手構造は、第１又は第２の発明において、前記被駆動部が歯車であり、前記把持部は、略半円柱形状の継手本体部と、略半円柱形状の第１半割部との間に前記駆動軸状部を挟み込んで把持するものであって、前記連結部は、前記継手本体部と、略半円柱形状の第２半割部との間に前記連結軸を挟み込んで把持するものであり、更に、前記連結軸は、トルクを前記被駆動部に伝達することができる断面形状に形成されていることを特徴とするものである。
【００１８】
第３の発明の園芸用器具の継手構造によると、駆動機の駆動軸状部の回転を、被駆動部である歯車を介して作動部に伝達して作動部を作動させることができる。そして、把持部は、略半円柱形状の継手本体部と、略半円柱形状の第１半割部との間に駆動軸状部を挟み込んで把持することができるので、駆動軸状部の断面形状に拘わらず、例えば駆動機の種類ごとに断面形状が定められている任意の駆動軸状部を、継手部に連結することができる。また、連結部は、継手本体部と、略半円柱形状の第２半割部との間に連結軸を挟み込んで把持することができるので、連結軸の断面形状に拘わらず、例えば任意の断面形状の既製の連結軸を利用することができ、この連結軸と継手部とを互いに連結することができる。
【００１９】
第４の発明に係る園芸用器具の継手構造は、第１乃至第３のいずれかの発明において、前記駆動機は、前記駆動軸状部が内側に配置されているハンドルシャフトを備え、前記園芸用機器には、前記ハンドルシャフトの先端部が装着されて固定される受口部を備えることを特徴とするものである。
【００２０】
第４の発明の園芸用器具の継手構造によると、連結軸が取り付けられた継手部を、駆動機の駆動軸状部の先端部に連結して、この状態で、継手部に取り付けられている連結軸の先端部を被駆動部の連結孔に挿入する。このときに、駆動機のハンドルシャフトの先端部を、園芸用機器に設けられている受口部に装着する。このようにして、駆動軸状部を被駆動部に連結することができると共に、園芸用機器を駆動機のハンドルシャフトの先端部に固定して取り付けることができる。
【００２１】
第５の発明に係る園芸用器具の継手構造は、第１乃至第４のいずれかの発明において、前記園芸用機器は、前記作動部が刈払刃である刈払機、バリカン式の刈込み機、送風機、吸引機、チェーンソー、又は耕耘機であることを特徴とするものである。
【００２２】
第５の発明の園芸用器具の継手構造は、作動部が刈払刃である刈払機、バリカン式の刈込み機、送風機、吸引機、チェーンソー、又は耕耘機等の園芸用機器に適用することができる。送風機及び吸引機は、例えば落ち葉や、刈り取られた切断草を集めるために使用されるものである。
【００２３】
第６の発明に係る園芸用器具は、第１乃至第４のいずれかの発明の園芸用器具の継手構造を備える刈払機としての園芸用器具であって、前記駆動機に固定して取り付けられる本体ケースと、この本体ケースの内側に回動自在に設けられた回転軸と、この回転軸に取り付けられる前記作動部としての刈払刃と、前記回転軸の内孔に挿通され前記本体ケースに固定して設けられている取付部材と、この取付部材に固定して設けられていると共に、前記刈払刃の下面側に配置されている下側カバーとを備えることを特徴とするものである。
【００２４】
第６の発明の園芸用器具は、刈払機であり、駆動機に取り付けて使用することができる。この刈払機を使用して、草や芝等を刈り取るときは、駆動機に設けられているエンジン等の回転駆動部を作動させて刈払刃を高速回転させる。この高速回転する刈払刃によって草や芝等を刈り取ることができる。そして、下側カバーが刈払刃よりも地面に向かう側に配置されているので、草刈作業中において、下側カバーが地面や石、缶等と接触することがあっても、刈払刃が地面や石等と接触して跳ね飛ばすこと、及び地面や石等との接触による衝撃や耳障りな接触音が発生することを低減したり防止することができる。
【００２５】
そして、下側カバーが取付部材によって本体ケースに固定して設けられているので、下側カバーを駆動機側に取り付けるための部品が不要であり、経済的であり。
【００２６】
第７の発明に係る園芸用器具は、第６の発明において、前記取付部材の基端部が前記本体ケースの内面に固定ボルトで固定して取り付けられ、この取付部材の基端部の外周面と、前記本体ケースの内周面との間に、前記取付部材が前記固定ボルトを緩める方向に回転することを係止する回り止め部材を設けたことを特徴とするものである。
【００２７】
第７の発明の園芸用器具によると、回り止め部材は、取付部材が固定ボルトを緩める方向に回転することを係止することができる。これによって、刈払刃の回転による振動や衝撃等によって、取付部材が固定ボルトを緩める方向に回転せず、固定ボルトが緩むことを防止できる。そして、固定ボルトが緩まないので、取付部材を強固に本体ケースに固定することができ、よって、この取付部材に取り付けられている下側カバーが、草刈作業中の振動や衝撃によって、ぐらついたり、取付部材から外れることを防止できる。
【００２８】
第８の発明に係る園芸用器具は、第７の発明において、前記回り止め部材には、前記取付部材の基端部の外面と当接して、前記取付部材が前記固定ボルトを緩める方向に回転することを係止する係止用内縁部が形成されていると共に、前記本体ケースの内面と当接して当該回り止め部材が前記固定ボルトを緩める方向に回転することを係止する係止用外縁部が形成されていることを特徴とするものである。
【００２９】
第８の発明の園芸用器具によると、回り止め部材の係止用内縁部が取付部材の基端部の外面と当接すると共に、回り止め部材の係止用外縁部が本体ケースの内面と当接していることによって、取付部材が固定ボルトを緩める方向に回転することを確実に係止することができる。
【００３０】
第９の発明に係る園芸用器具は、第１乃至第４のいずれかの発明の園芸用器具の継手構造を備える刈払機としての園芸用器具であって、前記駆動機に固定して取り付けられる本体ケースと、前記本体ケースに回動自在に設けられている前記作動部としての刈払刃と、前記刈払刃の下面側に回動しないように配置され、前記本体ケース又は前記駆動機に固定して設けられている下側カバーとを備え、前記下側カバーは、その外周縁部が前記刈払刃の外周縁部よりも半径方向の外側に突出し、当該下側カバーの外周縁部に複数の凹部が設けられ、前記各凹部は、前記刈払刃に設けられている複数の各切刃がその内側に配置される深さに形成されていると共に、前記複数の凹部の全てが、前記刈払刃の揺動刈取り操作の方向に切り欠かれていることを特徴とするものである。
【００３１】
第９の発明の園芸用器具によると、第６の発明と同様に、下側カバーによって、刈払刃が地面や石等と接触することを確実に防止することができる。しかも、下側カバーの外周縁部を刈払刃の外周縁部よりも半径方向の外側に突出させていることによって、刈払刃の外周縁部を、下側カバーの上面側であってその内側に収容することができる。これによって、刈払刃の外周縁部が地面や石等と接触することを確実に防止することができる。そして、下側カバーの外周縁部に複数の凹部を設けてあるので、この凹部に入り込んだ草や芝等を刈払刃の切刃で刈り取ることができる。
【００３２】
そして、刈り取ろうとする草や芝等が入り込む複数の凹部の全てが、刈払刃を揺動させて草刈を行なう刈取り操作の方向に切り欠かれているので、作業者が刈払機に対して揺動刈取り操作するときに、刈り取ろうとする草や芝等が、それらの凹部の内縁部に引っ掛からないようにすることができる。これによって、刈り取ろうとする草や芝等が、作業者による揺動刈取り操作の妨げ（抵抗）となることがなく、極めてスムースに草刈を行うことができる。
【００３３】
第１０の発明に係る園芸用器具は、第１乃至第４のいずれかの発明の園芸用器具の継手構造を備える刈払機としての園芸用器具であって、前記駆動機に固定して取り付けられる本体ケースと、前記本体ケースに回動自在に設けられている前記作動部としての刈払刃と、前記刈払刃の下面側に配置され、前記本体ケース又は前記駆動機に設けられている下側カバーとを備え、前記下側カバーの上面と、前記刈払刃の下面との間の隙間を塞ぐことができる形状であり、前記刈払刃の回転の中心から所定の間隔を隔てて前記回転の中心を包囲する環状の刈草巻付き防止部を前記下側カバー又は前記刈払刃に設けたことを特徴とするものである。
【００３４】
第１０の発明の園芸用器具によると、第６の発明と同様に、下側カバーによって、刈払刃が地面や石等と接触することを防止することができる。そして、この刈払機を使用して草刈作業を行なうと、刈り取られた草や、刈り取られる前の草が、下側カバーの上面と、刈払刃の下面との間の隙間に入り込んで、この隙間に設けられている刈草巻付き防止部に巻き付くことがあるが、草が、刈払刃が取り付けられている回転軸に巻き付くことを防止できる。そして、この刈草巻付き防止部の外周長さを、例えば刈り取られる草の長さ程度、又はそれ以上となるように形成することによって、刈草巻付き防止部に巻き付いた草を、簡単に除去することができる。これによって、草刈作業の作業効率の向上を図ることができる。
【００３５】
そして、この刈草巻付き防止部は、刈り取られた草、砂、石、ごみ等が下側カバーの上面と、刈払刃の下面との間の隙間に入り込んで詰ることを防止できる。また、刈草巻付き防止部は、刈払刃と下側カバーとの間に配置されているので、下側カバーの外周縁部が、刈払刃の外周縁部に接触することを防止することができ、刈払刃の切刃、及び下側カバーが損傷することを防止できる。
【発明の効果】
【００３６】
本発明の園芸用器具の継手構造、及び園芸用器具によると、駆動機の駆動軸状部が例えばスプライン軸であったり、断面形状が多角形であったとしても、駆動軸状部の形状に拘わらず、園芸用器具の継手部と、駆動機の駆動軸状部とを互いに確実に連結することができる。例えば使用者が、バリカン式の刈込み機（園芸用機器）と、この刈込み機を駆動するための駆動機とを備える刈込み装置を所有している場合に、新たに刈払機（園芸用機器）を購入して、この刈払機を自己が所有している駆動機に取り付けて使用するときに、駆動機の駆動軸状部の断面形状に拘わらず、刈払機の継手部を、駆動機の駆動軸状部に連結することができる。これによって、１台の駆動機を、バリカン式の刈込み機と刈払機の両方に使用できて経済的である。
【００３７】
また、刈払機等の園芸用機器の被駆動部を、駆動機の駆動軸状部に連結するために、駆動軸状部の断面形状の種類ごとに応じて接続アダプタを用意する必要がないので、接続アダプタの費用を不要とすることができる。
【図面の簡単な説明】
【００３８】
【図１】この発明の一実施形態に係る園芸用器具（刈払機）を備える刈払装置を示す部分断面正面図である。
【図２】同実施形態に係る同刈払装置の刈払機を示す平面図である。
【図３】同実施形態に係る同刈払装置の刈払機を示す底面図である。
【図４】同実施形態に係る園芸用器具（刈払機）の継手構造を示す分解斜視図である。
【図５】同実施形態に係る園芸用器具（刈払機）の継手構造を示す分解正面図である。
【図６】図５に示す同継手構造が備える継手本体部等を示す図であり、（ａ）は正面図、（ｂ）は平面図、（ｃ）は底面図、（ｄ）は左側面図、（ｅ）Ａ−Ａ断面図である。
【図７】図５に示す同継手構造が備える第１半割部を示す図であり、（ａ）は正面図、（ｂ）は右側面図、（ｃ）は底面図である。
【図８】図５に示す同継手構造が備える連結軸を示す図であり、（ａ）は正面図、（ｂ）は左側面図である。
【図９】図１に示す同刈払装置が備える取付部材に装着される回り止め部材を示す図であり、（ａ）は底面図、（ｂ）は縦断面図である。
【図１０】従来の刈払装置の一例を示す部分断面正面図である。
【発明を実施するための形態】
【００３９】
以下、本発明に係る園芸用器具の継手構造及びそれを備える園芸用器具の一実施形態を、図１〜図９を参照して説明する。この図１に示す園芸用器具の継手構造１１は、例えば刈払機１２、バリカン式の刈込み機、送風機、吸引機、チェーンソー、又は耕耘機を含む種々の園芸用器具に適用することによって、この適用された園芸用器具を、任意の駆動機１３に適切に取り付けることができるようにするものである。図１に示すこの実施形態の園芸用器具の継手構造１１は、複数の園芸用器具のうちの１つである刈払機１２に適用されており、従って、園芸用器具は、刈払機１２である。そして、この刈払機１２は、駆動機１３に取り付けられて刈払装置１４として使用される。
【００４０】
このように、園芸用器具の継手構造１１が適用された園芸用器具（例えば刈払機１２、バリカン式の刈込み機、送風機、吸引機、及び耕耘機）は、駆動機１３の駆動軸状部１５の形状に拘わらず、当該園芸用器具の被駆動部（第１傘歯車１６）と、駆動機１３の駆動軸状部１５とを互いに確実に連結することができると共に、駆動機１３の駆動軸状部１５を屈曲させることなく、しかも適切な長さＭを確保して、駆動機１３の駆動軸状部１５と、園芸用器具の被駆動部（第１傘歯車１６）とを互いに連結することができる。
【００４１】
これによって、例えば園芸用器具の使用者の立場からは、１台の駆動機１３を持っておれば、本発明の園芸用器具の継手構造１１を備える刈払機１２、バリカン式の刈込み機、送風機、吸引機、及び耕耘機等の園芸用器具のうちのいずれにも取り付けて使用することができる。また、園芸用器具のメーカの立場からは、例えば本発明の園芸用器具の継手構造１１を刈払機１２に適用すると、この刈払機１２を、型式の異なる複数の駆動機１３のいずれにも取り付けて使用できるようにすることができる。よって、使用者は、自分が持っている駆動機１３の型式に拘わらず、当該駆動機１３を、本発明の園芸用器具の継手構造１１を備える刈払機１２に取り付けて使用することができる。
【００４２】
この図１に示す刈払装置１４は、草刈作業をする作業者が携帯することができて、刈払刃１８を例えばエンジン（回転駆動部）によって所定方向に高速回転させることができ、この高速回転する刈払刃１８で草や芝等を刈り取ることができるものである。そして、この刈払装置１４の刈払刃１８の下面側には、下側カバー１９が設けられている。この下側カバー１９は、草刈作業中に刈払刃１８が作業場所にある小石や缶等を跳ね飛ばすことを防止するためのものである。
【００４３】
また、この刈払装置１４は、図１に示すように、駆動機１３と刈払機１２（園芸用器具）とを備えている。この駆動機１３は、エンジン等の回転駆動部（図示せず）と、この回転駆動部によって回転駆動される駆動軸状部１５と、この駆動軸状部１５が内側に配置されているハンドルシャフト２０を備えている。図示しない回転駆動部は、ハンドルシャフト２０の基端部に取り付けられている。この駆動軸状部１５は、剛性を有する軸であってもよいし、トルクを伝達できるフレキシブルワイヤであってもよい。
【００４４】
刈払機１２は、図１に示すように、本体ケース２１を備え、この本体ケース２１には、受口部２１ａが設けられ、この受口部２１ａ内には、軸受２２を介して回動自在に第１傘歯車１６が設けられている。そして、この第１傘歯車１６と噛合う第２傘歯車１７が本体ケース２１内に配置され、この第２傘歯車１７は、回転軸２３に設けられている。
【００４５】
この回転軸２３は、軸受２４を介して回動自在に本体ケース２１内に設けられ、この回転軸２３の下端部には、刈払刃１８が取り付けられている。
【００４６】
また、図１に示すように、本体ケース２１に設けられている受口部２１ａ内には、駆動機１３のハンドルシャフト２０の先端部が装着されて固定されている。このハンドルシャフト２０の先端部を受口部２１ａに固定する方法は、例えば２本の各ボルト２５を受口部２１ａの周壁部に形成された２つの各雌ねじ孔２６に螺合して、それら２本の各ボルト２５の先端部をハンドルシャフト２０の周壁部に形成された２つの各留め孔２７に挿入して係合させる。このようにして、ハンドルシャフト２０の先端部を受口部２１ａに固定してある。
【００４７】
なお、ハンドルシャフト２０の取り付け強度を向上させるために、受口部２１ａ内に、短円筒形状のソケット２８を装着してあり、このソケット２８の上端部は、ハンドルシャフト２０の先端部と当接し、ソケット２８の下端部は、軸受２２を留めている止め輪に当接している。
【００４８】
次に、園芸用器具の継手構造（以下、単に「継手構造」と言うこともある。）１１を説明する。この継手構造１１は、図１に示すように、駆動機１３の駆動軸状部１５と連結されて回転される継手部２９を備え、この継手部２９の回転が第１傘歯車１６（被駆動部）を介して刈払刃１８（作動部）に伝達されて、この刈払刃１８が回転する構造となっている。
【００４９】
継手部２９は、駆動軸状部１５の先端部を着脱自在に把持する把持部３０と、連結軸３１の基端部が連結される連結部３２とを有している。そして、この連結軸３１の基端部は、第１傘歯車１６の中心に形成された例えば六角孔の連結孔３３に挿入されて、継手部２９の回転を第１傘歯車１６に伝達するように形成されている。
【００５０】
図４は、継手構造１１の分解斜視図、図５は継手構造１１の分解正面図、図６はこの継手構造１１の構成する継手本体部３４及び第２半割部３６を示す図、図７はこの継手構造１１の構成する第１半割部３５を示す図であり、図８は連結軸３１を示す図である。
【００５１】
把持部３０は、図４〜図７に示すように、略半円柱形状の継手本体部３４と、略半円柱形状の第１半割部３５との間に駆動軸状部１５の先端部を挟み込んで把持するものである。そして、これら継手本体部３４及び第１半割部３５のそれぞれの合わせ面の中央部には、把持溝３７が形成されている。これら２つの把持溝３７は、同等の形状であり、合わせた状態で例えば断面形状が略六角形の筒状体となるように形成されている。なお、駆動軸状部１５の先端部には、スプラインが形成され、スプライン軸部となっている。
【００５２】
そして、継手本体部３４と、第１半割部３５との間に駆動軸状部１５の先端部を挟み込んで把持するときは、図４及び図５に示す４本の各ボルト３８を、第１半割部３５に形成されている各挿通孔３９に挿通すると共に、継手本体部３４に形成されている４つの各雌ねじ孔４０に螺合させて締め付ける。これによって、継手本体部３４の把持溝３７と、第１半割部３５の把持溝３７との間に駆動軸状部１５の先端部を挟み込んで把持することができる。
【００５３】
また、連結部３２は、図４〜図６に示すように、継手本体部３４と、略半円板形状の第２半割部３６との間に連結軸３１の基端部を挟み込んで把持するものである。そして、これら継手本体部３４及び第２半割部３６のそれぞれの合わせ面の中央部には、上記と同等の把持溝３７が形成されている。つまり、これら２つの把持溝３７は、合わせられた状態で例えば断面形状が略六角形の筒状体となるように形成されている。
【００５４】
ただし、第２半割部３６の半径方向の一端部が、継手本体部３４の半径方向の一端部と結合しており、第２半割部３６の半径方向の他端部が、継手本体部３４の半径方向の他端部との間に隙間が形成されている。
【００５５】
そして、継手本体部３４と、第２半割部３６との間に連結軸３１の基端部を挟み込んで把持するときは、図４及び図５に示す１本のボルト４１を、第２半割部３６に形成されている挿通孔３９に挿通すると共に、継手本体部３４に形成されている１つの雌ねじ孔４０に螺合させて締め付ける。これによって、継手本体部３４の把持溝３７と、第２半割部３６の把持溝３７との間に連結軸３１の基端部を挟み込んで把持することができる。
【００５６】
連結軸３１は、図１及び図４に示すように、断面形状が略六角形の棒状体であり、第１傘歯車１６（被駆動部）の中心に形成された例えば六角孔の連結孔３３に挿入されて、継手部２９の回転（トルク）を第１傘歯車１６に伝達するように形成されている。
【００５７】
次に、上記及び図１等に示すように構成された園芸用器具の継手構造１１の作用を説明する。この継手構造１１によると、例えば刈払機１２、バリカン式の刈込み機、送風機、吸引機、及び耕耘機を含む種々の園芸用器具のうちの例えば刈払機１２に本発明を適用すると、図１に示すように、当該刈払機１２を、複数の型式のうちのいずれの型式の駆動機１３にも取り付けて使用できるようにすることができる。
【００５８】
図１に示す刈払機１２（園芸用器具）を駆動機１３に取り付けるときは、連結軸３１が取り付けられた継手部２９を、駆動機１３の駆動軸状部１５の先端部に連結して、この状態で、継手部２９に取り付けられている連結軸３１の先端部を、第１傘歯車１６（被駆動部）の連結孔３３に挿入する。このときに、駆動機１３のハンドルシャフト２０の先端部を、刈払機１２に設けられている受口部２１ａ内に装着してねじ止めする。このようにして、駆動軸状部１５の先端部を第１傘歯車１６に連結することができると共に、刈払機１２を駆動機１３のハンドルシャフト２０の先端部に固定して取り付けることができる。
【００５９】
この図１に示す状態で、駆動軸状部１５の回転を、刈払機１２の継手部２９、連結軸３１、第１傘歯車１６（被駆動部）、第２傘歯車１７、及び回転軸２３を介して刈払刃１８（作動部）に伝達することができ、これによって、刈払刃１８を回転させることができる。
【００６０】
そして、継手部２９の把持部３０は、図４に示すように、駆動軸状部１５の先端部を着脱自在に把持して、継手部２９と駆動軸状部１５の先端部とを互いに連結する構成であるので、駆動軸状部１５の先端部が例えばスプライン軸部であったり、断面形状が多角形であったとしても、駆動軸状部１５の先端部の断面形状に拘わらず、継手部２９と駆動軸状部１５の先端部とを互いに確実に連結することができる。更に、駆動軸状部１５の先端部の太さが多少大きい場合や、小さい場合でも、継手部２９と駆動軸状部１５の先端部とを互いに確実に連結することができる。
【００６１】
更に詳しく説明すると、図４及び図５に示すように、継手部２９に形成されている把持部３０は、略半円柱形状の継手本体部３４と、略半円柱形状の第１半割部３５との間に駆動軸状部１５の先端部を挟み込んで把持することができるので、駆動軸状部１５の先端部の断面形状に拘わらず、つまり、駆動機１３の種類ごとに断面形状が定められている任意の駆動軸状部の先端部を、継手部２９の中心に確実に連結することができる。
【００６２】
そして、図４及び図５に示すように、継手部２９に形成されている連結部３２は、継手本体部３４と、略半円板形状の第２半割部３６との間に連結軸３１の基端部を挟み込んで把持することができるので、連結軸３１の断面形状に拘わらず、つまり、任意の断面形状の既製の連結軸３１を利用することができて、この連結軸３１の基端部と継手部２９とを互いに確実に連結することができる。
【００６３】
なお、この連結軸３１は、第１傘歯車１６（被駆動部）に形成された連結孔３３に挿入されて第１傘歯車１６と連結しているので、継手部２９に取り付けられている連結軸３１を、連結孔３３から簡単に抜き取って、継手部２９と駆動軸状部１５の先端部とを互いに簡単に連結することができる。そして、連結軸３１を連結孔３３に挿入することによって、連結軸３１を第１傘歯車１６に簡単に連結させることができる。
【００６４】
更に、図１に示すように、継手部２９の把持部３０が駆動軸状部１５の先端部を把持する位置は、駆動軸状部１５の軸方向に対して所定の許容範囲Ｌ内で調整可能である。このように、把持位置を調整できるのは、受口部２１ａ及び継手部２９を所定の長さに形成してあるからである。これによって、刈払機１２等の園芸用器具の継手部２９を駆動機１３が備える駆動軸状部１５の先端部に連結するときに、駆動軸状部１５の先端部の継手部２９側に突出する長さが適切な寸法よりも長い場合や短い場合において、把持部３０が駆動軸状部１５の先端部を把持する位置をその所定の許容範囲Ｌ内で調整して、継手部２９を駆動軸状部１５の先端部に連結することができる。これによって、刈払機１２の継手部２９の把持部３０は、駆動機１３の駆動軸状部１５を、屈曲させることなく、しかも把持するための適切な長さＭを確保して第１傘歯車１６（被駆動部）に連結することができる。
【００６５】
ただし、この実施形態では、図１に示すように、継手部２９の連結部３２が連結軸３１を把持した状態で、把持部３０が駆動軸状部１５の先端部を把持する位置を所定の許容範囲Ｌ内で調整できるようにしたが、これに代えて、継手部２９の把持部３０が駆動軸状部１５の先端部を把持した状態で、連結部３２が連結軸３１の基端部を把持する位置を所定の許容範囲Ｌ内で調整できるようにしてもよい。
【００６６】
次に、図１に示す園芸用器具の継手構造１１を備える園芸用器具の具体的な効果について説明する。例えば使用者が、バリカン式の刈込み機（園芸用機器）と、この刈込み機を駆動するための駆動機１３とを備える刈込み装置を所有している場合に、新たに刈払機１２（園芸用機器）を購入して、この刈払機１２を自己が所有している駆動機１３に取り付けて使用するときに、駆動機１３が備える駆動軸状部１５の先端部の断面形状に拘わらず、刈払機１２の継手部２９を、その駆動軸状部１５の先端部に連結することができる。これによって、１台の駆動機１３を、バリカン式の刈込み機と刈払機１２の両方に使用できて経済的である。
【００６７】
また、刈払機１２等の園芸用機器の第１傘歯車１６（被駆動部）を、駆動機１３が備える駆動軸状部１５の先端部に連結するために、駆動軸状部１５の先端部の断面形状の種類ごとに応じて接続アダプタを用意する必要がないので、接続アダプタの費用を不要とすることができる。
【００６８】
次に、図１及び図９を参照して、刈払機１２を更に詳細に説明する。この刈払機１２が備えている回転軸２３は、図１に示すように、短管状のものであり、本体ケース２１内に収容され、軸受２４、２４を介して回動自在にこの本体ケース２１内に取り付けられている。この回転軸２３の内孔２３ａには、軸形状の取付部材４２が挿通し、この取付部材４２の上端が本体ケース２１の上部内面に固定ボルト４３で締結されている。更に、この取付部材４２の下端に下側カバー１９がボルト４４で締結されていると共に、回転軸２３の下端にナット４５が螺合している。このナット４５は、締付部材４６と挟持部材４７との間に刈払刃１８を挟み込んだ状態で、これら刈払刃１８、締付部材４６及び挟持部材４７を回転軸２３に締め付けて固定している。
【００６９】
更に、図１に示すように、回転軸２３の軸振れを防止するために、回転軸２３の下端部の内周面と、取付部材４２の下端部の外周面との間に、軸受（ニードル軸受）４８が装着されている。
【００７０】
そして、図１に示すように、取付部材４２の基端部（上端部）には、取付部材４２が固定ボルト４３を緩める方向に回転することを係止するための回り止め部材４９が装着されている。
【００７１】
この回り止め部材４９は、図９（ａ）、（ｂ）に示すように、略六角形の板状体であり、中心に略長円形の係止孔５０が形成されている。つまり、回り止め部材４９には、図１に示すように、取付部材４２の基端部の外周面と当接して、取付部材４２が固定ボルト４３を緩める方向に回転することを係止する係止用内縁部５１が形成されており、この係止用内縁部５１は、略長円形の係止孔５０の内周縁部である。従って、取付部材４２の基端部の断面形状は、係止孔５０の係止用内縁部５１と対応する略長円形状となっている。
【００７２】
また、図１に示す回り止め部材４９には、本体ケース２１の内周面と当接して当該回り止め部材４９が固定ボルト４３を緩める方向に回転することを係止する係止用外縁部５２が形成されており、この係止用外縁部５２は、略六角形の回り止め部材４９の外周縁部である。従って、本体ケース２１の上部の内面形状は、略六角形の回り止め部材４９の係止用外縁部５２と対応する略六角形の窪みとなっている。
【００７３】
更に、この回り止め部材４９は、図１に示すように、その上面が本体ケース２１の上部内面と当接し、その下面は、回転軸２３の上端部と隙間を隔てて配置されている。また、回り止め部材４９には、例えば２つの雌ねじ孔５３が形成され、これら２つの各雌ねじ孔５３には、ボルト５４が螺合している。各ボルト５４は、本体ケース２１に形成されている各挿通孔に挿通しており、２つの各雌ねじ孔５３に螺合させて締め付けることによって、回り止め部材４９を図１に示す位置に取り付けることができる。そして、各ボルト５４を本体ケース２１から取り外すと、本体ケース２１の各挿通孔を利用して、上側の軸受２４を例えば修理のために取り外すことができる。
【００７４】
上記のように構成された刈払機１２によると、図１に示すように、駆動機１３が駆動して駆動軸状部１５が回転すると、その回転が、刈払機１２の継手部２９、連結軸３１、第１傘歯車１６（被駆動部）、第２傘歯車１７、及び回転軸２３を介して刈払刃１８（作動部）に伝達されて、刈払刃１８が高速で回転する。そして、この高速回転する刈払刃１８によって草や芝等を刈り取ることができる。また、下側カバー１９が刈払刃１８よりも地面に向かう側に配置されているので、草刈作業中において、下側カバー１９が地面や石、缶等と接触することがあっても、刈払刃１８が地面や石等と接触して跳ね飛ばすこと、及び地面や石等との接触による衝撃や耳障りな接触音が発生することを低減したり防止することができる。
【００７５】
そして、下側カバー１９が取付部材４２によって本体ケース２１に固定して設けられているので、下側カバー１９を駆動機１３の例えばハンドルシャフト２０に取り付けるための部品が不要であり、経済的であり。
【００７６】
また、図１に示すように、回り止め部材４９は、刈払刃１８が回転しているときに、取付部材４２が固定ボルト４３を緩める方向に回転することを係止することができる。これによって、刈払刃１８の回転による振動や衝撃等によって、取付部材４２が固定ボルト４３を緩める方向に回転せず、固定ボルト４３が緩むことを防止できる。そして、固定ボルト４３が緩まないので、取付部材４２を強固に本体ケース２１に固定することができ、よって、この取付部材４２に取り付けられている下側カバー１９が、草刈作業中の振動や衝撃によって、ぐらついたり、取付部材４２から外れることを防止できる。
【００７７】
具体的には、図９（ａ）に示すように、回り止め部材４９に形成されている長円形の係止用内縁部５１が、取付部材４２の基端部の外面と当接すると共に、回り止め部材４９の六角形状の係止用外縁部５２が、本体ケース２１の内面と当接していることによって、取付部材４２が固定ボルト４３を緩める方向に回転することを確実に係止することができる。
【００７８】
また、図１に示すように、この回り止め部材４９は、その上面が本体ケース２１の上部内面と当接しているので、取付部材４２を本体ケース２１に強固に取り付けるための補強部材としての機能も果たしている。
【００７９】
次に、図１〜図３を参照して、刈払刃１８及び下側カバー１９等を説明する。
【００８０】
刈払刃１８は、図２の平面図に示すように、金属製の円板であり、この円板の外周縁部１８ａに沿って複数の凸部１８ｂと凹部１８ｃとが交互に形成されており、各凸部１８ｂ、・・・に超硬チップが切刃５５、・・・として設けられている。各切刃５５は、略台形に形成されている凸部１８ｂの左側縁部の上部に配置されている。
【００８１】
この刈払刃１８は、図１に示すように、中央に形成されている挿通孔１８ｄに回転軸２３が挿通する状態で、回転軸２３に固定して取り付けられている。
【００８２】
下側カバー１９は、図１及び図３に示すように、金属製の円板であって、中央部には、下方に突出する窪みが形成されている。そして、下側カバー１９の外周縁部１９ａには、この外周縁部１９ａに沿って複数の凸部１９ｂと凹部１９ｃとが交互に形成されている。そして、下側カバー１９に形成されている複数の各凸部１９ｂ（下側カバー１９の外周縁部１９ａ）は、図１に示すように、刈払刃１８の複数の凸部１８ｂで形成される外周縁部１８ａよりも半径方向の外側にＲだけ突出している。そして、下側カバー１９の外周縁部１９ａに形成されている複数の凹部１９ｃは、刈払刃１８に設けられている複数の各切刃５５がその内側に配置される深さに形成されている。
【００８３】
また、図３に示すように、下側カバー１９の外周縁部１９ａに形成されている複数の凹部１９ｃの全てが、刈払刃１８の揺動刈取り操作の方向に切り欠かれている。つまり、図３に示す底面図において、複数の凹部１９ｃの全てが、ハンドルシャフト２０が延びる方向と略直交する方向に、各凹部１９ｃの奥側部が向かうように切り欠かれている。
【００８４】
この図１〜図３に示す下側カバー１９によると、下側カバー１９の外周縁部１９ａを、刈払刃１８の外周縁部１８ａよりも半径方向の外側に突出させていることによって、刈払刃１８の外周縁部１８ａを、下側カバー１９の上面側であってその内側に収容することができる。これによって、刈払刃１８の外周縁部１８ａが地面や石等と接触することを確実に防止することができる。そして、下側カバー１９の外周縁部１９ａに複数の凹部１９ｃを設けてあるので、この凹部１９ｃに入り込んだ草や芝等を刈払刃１８の切刃５５で刈り取ることができる。
【００８５】
そして、刈り取ろうとする草や芝等が入り込む下側カバー１９の複数の凹部１９ｃの全てが、刈払刃１８を揺動させて草刈を行なう刈取り操作の方向（作業者が、ハンドルシャフト２０が延びる方向と略直交する方向に刈払刃１８を揺動させて草刈を行なうときの、その揺動方向を言う。）に切り欠かれているので、作業者が刈払機１２に対して揺動刈取り操作をするときに、刈り取ろうとする草や芝等が、下側カバー１９の外周縁部１９ａに形成されている複数の凸部１９ｂに引っ掛からないようにすることができる。これによって、刈り取ろうとする草や芝等が、作業者による揺動刈取り操作の妨げ（抵抗）となることがなく、極めてスムースに草刈を行うことができる。
【００８６】
また、作業者が刈払機１２に対して揺動刈取り操作をするときに、下側カバー１９の取り付け方向がずれないように、この下側カバー１９は、取付部材４２に固定して取り付けられている。つまり、図１に示すように、下側カバー１９は、その中央に開口部１９ｄが形成されており、この開口部１９ｄが、取付部材４２の下端部下面に形成されている突起５７に装着され、この状態で、取付部材４２の下端部にボルト４４で締結されている。また、この下側カバー１９が、ボルト４４を中心にして回らないようにするために、この下側カバー１９の中央に形成されている開口部１９ｄを、図９（ａ）に示す係止孔５０と同等の略長円形状に形成している。そして、この開口部１９ｄが装着されている取付部材４２の下端部下面に形成されている突起５７も、その開口部１９ｄと対応する略長円形状に形成されている。
【００８７】
次に、図１及び図３を参照して、下側カバー１９の上面と、前記刈払刃１８の下面との間の隙間を塞ぐ刈草巻付き防止部５６について説明する。
【００８８】
この刈草巻付き防止部５６は、例えば合成樹脂製であって円環状に形成された部材であり、その断面形状は、図１に示すように、上側に開口する略コ字形状に形成されている。そして、この刈草巻付き防止部５６は、下側カバー１９に対して例えば複数のリベット５８で取り付けられている。
【００８９】
そして、図１に示すように、刈草巻付き防止部５６は、下側カバー１９の上面と、刈払刃１８の下面とに当接して、両者の間の隙間を塞ぐことができる厚みに形成され、刈払刃１８の回転の中心（回転軸２３）から所定の間隔を隔ててその回転の中心（回転軸２３）を包囲するように、下側カバー１９に取り付けられている。
【００９０】
ただし、刈草巻付き防止部５６を下側カバー１９に取り付けたが、これに代えて、刈草巻付き防止部５６を刈払刃１８に取り付けてもよい。そして、刈草巻付き防止部５６を円環状体としたが、これに代えて、多角形の環状体としてもよい。また、刈草巻付き防止部５６を環状部材として形成し、これを下側カバー１９に取り付けた構成としたが、これに代えて、刈草巻付き防止部を下側カバー１９と一体物として形成してもよい。
【００９１】
この図１に示す刈草巻付き防止部５６が設けられている刈払機１２を使用して草刈を行なうと、刈り取られた草や、刈り取られる前の草が、下側カバー１９の上面と、刈払刃１８の下面との間の隙間に入り込んで、この隙間に設けられている刈草巻付き防止部５６に巻き付くことがあるが、草が、刈払刃１８が取り付けられている回転軸２３に巻き付くことを防止できる。そして、この刈草巻付き防止部５６の外周長さを、例えば刈り取られる草の長さ程度、又はそれ以上となるように形成することによって、刈草巻付き防止部５６に巻き付いた草を、簡単に除去することができる。これによって、草刈作業の作業効率の向上を図ることができる。因みに、図１に示す刈草巻付き防止部５６の直径は、刈払刃１８の直径の約１／２である。
【００９２】
そして、この刈草巻付き防止部５６は、刈り取られた草、砂、石、ごみ等が下側カバー１９の上面と、刈払刃１８の下面との間の隙間に入り込んで詰ることを防止できる。また、刈草巻付き防止部５６は、刈払刃１８と下側カバー１９との間に配置されているので、下側カバー１９の外周縁部が、刈払刃１８の外周縁部に接触することを防止することができ、刈払刃１８の切刃、及び下側カバー１９が損傷することを防止できる。
【００９３】
ただし、上記実施形態では、図１に示すように、本発明を刈払機１２に適用したが、これに代えて、バリカン式の刈込み機、送風機、吸引機、及び耕耘機に適用することができる。送風機及び吸引機は、例えば落ち葉や、刈り取られた切断草を集めるために使用されるものである。そして、これら刈込み機、送風機、吸引機、及び耕耘機は、図１に示す刈払機１２と同様に、被駆動部（例えば第１傘歯車１６）を有し、この被駆動部には、連結軸３１が挿入される連結孔３３が形成されているものとし、更に、この被駆動部を回転させることによって、作動部である刈込み刃、羽根、ロータリー等を作動させることができるものとする。
【００９４】
そして、上記実施形態では、図９（ａ）、（ｂ）に示すように、回り止め部材４９を略六角形の板状体としたが、これ以外の形状としてもよい。例えば、係止用外縁部５２の形状を略六角形以外の略多角形としてもよいし、略楕円形や略長円形としてもよい。そして、係止用内縁部５１の形状を略長円形としたが、これに代えて、例えば略多角形としてもよいし、略楕円形としてもよい。係止用内縁部５１をこのように形成した場合は、取付部材４２の基端部の断面形状も、係止用内縁部５１と対応する形状に形成する。
【００９５】
また、上記実施形態では、図３に示すように、下側カバー１９の外周縁部に形成されている複数の凹部１９ｃの全てを、平面方向から見てハンドルシャフト２０が延びる方向と略直交する方向に形成したが、要は、作業者が、自分を中心にして刈払刃１８を略円弧方向に揺動させて草刈を行なうときに、刈り取ろうとする草や芝等が作業者による揺動刈取り操作の妨げ（抵抗）とならない方向に凹部１９ｃを形成することが好ましい。例えば、凹部１９ｃの切欠き方向を、揺動刈取り操作の方向に沿うように、略円弧方向に形成してもよい。
【００９６】
更に、上記実施形態では、図１に示すように、本体ケース２１に取り付けられている取付部材４２の下端部に、下側カバー１９を取り付けた構成としたが、これ以外の構成によって、下側カバー１９を刈払機１２等の園芸用機器、又は駆動機１３に取り付けるようにしてもよい。例えば、回転軸２３の下端部が刈払刃１８の下面から下方に突出するように形成し、この回転軸２３の下端部の外周面に軸受を装着して、この軸受の外輪に下側カバー１９を回動自在に設けた構成としてもよい。
【産業上の利用可能性】
【００９７】
以上のように、本発明に係る園芸用器具の継手構造及びそれを備える園芸用器具は、駆動機の駆動軸状部の形状に拘わらず、園芸用器具の被駆動部と、駆動機の駆動軸状部とを互いに確実に連結することができるようにすること、及び駆動機の駆動軸状部を屈曲させることなく、しかも適切な長さを確保して、駆動機の駆動軸状部と、園芸用器具の被駆動部とを互いに連結することができる優れた効果を有し、このような園芸用器具の継手構造及びそれを備える園芸用器具に適用するのに適している。
【符号の説明】
【００９８】
１１  園芸用器具の継手構造
１２  刈払機（園芸用器具）
１３  駆動機
１４  刈払装置
１５  駆動軸状部
１６  第１傘歯車
１７  第２傘歯車
１８  刈払刃
１８ａ、１９ａ  外周縁部
１８ｂ、１９ｂ  凸部
１８ｃ、１９ｃ  凹部
１８ｄ、３９  挿通孔
１９  下側カバー
１９ｄ  開口部
２０  ハンドルシャフト
２１  本体ケース
２１ａ  受口部
２２、２４、４８  軸受
２３  回転軸
２３ａ  内孔
２５、３８、４１、４４、５４  ボルト
２６、４０、５３  雌ねじ孔
２７  留め孔
２８  ソケット
２９  継手部
３０  把持部
３１  連結軸
３２  連結部
３３  連結孔
３４  継手本体部
３５  第１半割部
３６  第２半割部
３７  把持溝
４２  取付部材
４３  固定ボルト
４５  ナット
４６  締付部材
４７  挟持部材
４９  回り止め部材
５０  係止孔
５１  係止用内縁部
５２  係止用外縁部
５５  切刃
５６  刈草巻付き防止部
５７  突起
５８  リベット
【図１】
2011045266.tif 000003
【図２】
2011045266.tif 000004
【図３】
2011045266.tif 000005
【図４】
2011045266.tif 000006
【図５】
2011045266.tif 000007
【図６】
2011045266.tif 000008
【図７】
2011045266.tif 000009
【図８】
2011045266.tif 000010
【図９】
2011045266.tif 000011
【図１０】
2011045266.tif 000012